(57)【要約】 【課題】 本発明は、連続したペーパータオルを引き出し且つ切断するホットタオルディスペンサーの改良に関する発明である。【解決手段】本発明は、ペーパータオルの束を入れるための籠と、前記籠を設置するために熱の伝わりやすい素材からなる容器を内部に備え、前記容器の底面裏に温度調節を可能としたシリコンラバーヒーターを備えた保温部と、大小３つのローラーをそれぞれに持つ前取出部、後取出部からなり、前記保温部の容器上面に観音開き状に設置された取出部とからなるホットタオルディスペンサーと容器底面に容器内の液体を排出するためのドレンを設け、保温部背面に排水コックを設け、前記ドレン及び排水コックを連結したことで容器内の液体を外部に排出可能としたホットタオルディスペンサーの構成とした。【選択図】  図１ 
2005225502.tif 000002
【特許請求の範囲】
【請求項１】
ペーパータオルの束を入れるための籠と、前記籠を設置するために熱の伝わりやすい素材からなる容器を内部に備え、前記容器の底面裏に温度調節を可能としたシリコンラバーヒーターを備えた保温部と、大小３つのローラーをそれぞれに持つ前取出部、後取出部からなり、前記保温部の容器上面に観音開き状に設置された取出部とからなることを特徴とするホットタオルディスペンサー。
【請求項２】
容器底面に容器内の液体を排出するためのドレンを設け、保温部背面に排水コックを設け、前記ドレン及び排水コックを連結したことで容器内の液体を外部に排出可能としたことを特徴とする請求項１に記載のホットタオルディスペンサー。
【発明の詳細な説明】
【技術分野】
【０００１】
本発明は、連続したペーパータオルを引き出し且つ切断するホットタオルディスペンサーの改良に関する発明である。
【背景技術】
【０００２】
従来のペーパータオル等のディスペンサーは、水やお湯を入れた容器にペーパータオルを浸し、又は水分を予め含ませたペーパータオルを容器内に設置し、容器上に設置したローラーでタオルを引き上げ且つ余分な水分を絞り適度に湿ったタオルを提供していた。
【０００３】
しかしながら、従来のディスペンサーでは水等を張った容器に直接ペーパータオル等の束を浸して設置するため、設置したペーパータオル等の使用途中の状態では、タオルの交換や容器内の清掃をするのが困難で、衛生的にも問題があった。
【発明の開示】
【発明が解決しようとする課題】
【０００４】
そこで、本発明はディスペンサー内にペーパータオルを設置した後、ペーパータオルの使用が途中であってもペーパータオルの交換が簡単で、またいつでも容器内を清掃することが容易にできるホットタオルディスペンサーを提供することを目的とするものである。
【課題を解決するための手段】
【０００５】
本発明は、上記の課題を解決するために、ペーパータオルの束を入れるための籠と、前記籠を設置するために熱の伝わりやすい素材からなる容器を内部に備え、前記容器の底面裏に温度調節を可能としたシリコンラバーヒーターを備えた保温部と、大小３つのローラーをそれぞれに持つ前取出部、後取出部からなり、前記保温部の容器上面に観音開き状に設置された取出部とからなるホットタオルディスペンサーと容器底面に容器内の液体を排出するためのドレンを設け、保温部背面に排水コックを設け、前記ドレン及び排水コックを連結したことで容器内の液体を外部に排出可能としたホットタオルディスペンサーの構成とした。
【発明の効果】
【０００６】
本発明であるホットタオルディスペンサーは、以上のような構成であるから、以下の効果が得られる。第１に、本発明であるホットタオルディスペンサーでは、ペーパータオルの設置、交換が容易である。
【０００７】
第２に、ペーパータオルを使い切らない状態でも容器内の清掃及びお湯の交換ができるため、常に衛生的に安全なペーパータオルを提供することができる。
【０００８】
第３に、お湯を張る容器の底面裏に温度調節可能なシリコンラバーヒーターを設置したことで、お湯に浸かっているペーパータオルの温度を変えることができるため、使用対象に合わせた温度のペーパータオルを提供することができる。
【０００９】
第４に、容器底面にドレン及び排水コックからなる排出部を設けたことで、保温部より容器を取り外すことなくお湯の排出ができ、容器内の清掃を容易にすることができる。
【発明を実施するための最良の形態】
【００１０】
ペーパータオルの設置、交換及び容器内の清掃が容易にできるという目的とペーパータオルの温度調節を可能にするという目的を、保温部の容器にシリコンラバーヒーター、排出部、籠を設けることで実現した。
【実施例１】
【００１１】
以下に、添付図面に基づいて本発明であるホットタオルディスペンサーを詳細に説明する。図１は本発明であるホットタオルディスペンサーの斜視図、図２はホットタオルディスペンサー取出部を開いた状態を示した斜視図である。
【００１２】
図１及び図２に示すように、本発明であるホットタオルディスペンサー１は、取出部２、保温部３、籠４、ペーパータオル５とからなる。取出部２は、前取出部１０と後取出部１１とからなる。
【００１３】
前記保温部３は前面３ｏが斜めに傾斜した箱形の本体３ａからなり、傾斜した前面３ｏにはスイッチ３ｂ、調節ダイヤル３ｃ、確認ランプ３ｄ等が設けてある。本体３ａの上面は大きく空いており、本体３ａの底面には、４つの脚３ｅ、３ｅ、３ｅ、３ｅが取り付けられている。
【００１４】
前述の本体３ａ内部は中空であり、中空部３ｐには縦断面形状がコ字状の収納容器３ｎが設置されていて、一枚に連なり折り畳まれたペーパータオル５を入れた籠４が収納される。収納容器３ｎ上面は前記取出部２により蓋を閉じる構造となっている。
【００１５】
図２に示すように、取出部２は、前取出部１０と後取出部１１とからなる。前取出部１０と後取出部１１の基本構造は同じである。前取出部１０は前カバー１０ａとローラーカバー１０ｂからなる。
【００１６】
前カバー１０ａの前方の左右側面に取り付けられた固定具１０ｉ、１０ｉと、保温部３の上面前方に取り付けられた固定部１０ｋ、１０ｋが可動部１０ｊ、１０ｊを介して回動可能に連結されている。
【００１７】
同様に後取出部１１は、後カバー１１ａとローラーカバー１１ｂとからなり、後カバー１１ａの後方の左右両側面に取り付けられた固定具１１ｇ、１１ｇと、保温部３の上面の後方に取り付けられた固定部１１ｉ、１１ｉが可動部１１ｈ、１１ｈを介して回動可能に連結されている。
【００１８】
前カバー１０ａの後部内側、即ち後カバー１１ａと隣接する部分には大きいローラー１０ｄが取り付けられている。前記ローラー１０ｄの上部にはローラーカバー１０ｂが形成されている。ローラーカバー１０ｂの２つの左突出部１０ｎの内方及び右突出部１０ｏの内方には、小さいローラー１０ｃ、１０ｃが取り付けられている。
【００１９】
また、図２及び図４に示にすように、前カバー１０ａの上面の中央部にはコ字状の取っ手１０ｇが回動可能に取り付けてある。同様に、後カバー１１ａの前カバー１０ａ寄りに、即ち前カバー１０ａと接触する位置に大きいローラー１１ｄが取り付けられている。ローラー１１ｄの上部には、ローラーカバー１１ｂが形成されている。
【００２０】
後カバー１１ａの端部に形成されているローラーカバー１１ｂの２つの左突出部１１ｋの内部及び突出部の内部には、小さいローラー１１ｃ、１１ｃが取り付けられている。また、後カバー１１ａの上面の中央には、取っ手１１ｊが取り付けてある。
【００２１】
以上のように、前取出部１０、後取出部１１はほぼ同じ構造をであるが、以下の点で異なっている。まず、ローラーカバー１０ｂ、１１ｂの構造が異なっている。ローラーカバー１０ｂの２つの左右突出部１０ｎ、１０ｏの上面には、左右ガイド板１０ｍ、１０ｍがそれぞれ取付られているが、後取出部１１のローラーカバー１１ｂに前記左右ガイド板はない。
【００２２】
また、前カバー１０ａ及び後カバー１１ａの両側に取り付けられている留め具の構造が異なっている。即ち、前記前カバー１０ａの両側面には係止リング１０ｅ、留め具１０ｆが取り付けられており、後カバー１１ａの両側面には係止具１１ｅが取り付けられている。図１に示したように前後カバー１０、１１を閉じた状態で前記係止リング１０ｅを前記係止具１１ｅに引っ掛け、前記留め具１０ｆで固定することができる。
【００２３】
図３は、本発明であるホットタオルディスペンサーの籠の斜視図である。図３に示すように、籠４は複数本の針金４ａ、４ａ、４ａ・・・が縦横に編まれた籠であり、前記保温部３の収納容器３ｎ内に収納できる大きさで作られている。
【００２４】
複数本の針金４ａ、４ａ、４ａ・・・で編まれた籠の上面は前記針金４ａ、４ａ、４ａ・・・よりも太く、丈夫な上補強枠４ｂで補強されており、籠４の下面も同様の太く、丈夫な下補強枠４ｄにより補強されている。また、前記上補強枠４ｂには係止部４ｃ、４ｃが取り付けられている。
【００２５】
係止部４ｃ、４ｃ付近では２本の取っ手４ｅ、４ｅが上補強枠４ｂの中心を横架し、上補強枠４ｂに回動可能に取り付けられている。
【００２６】
図４は本発明であるホットタオルディスペンサーを使用している様子を示した正面図である。図４に示すように、前取出部１０、後取出部１１を倒した状態ではローラーカバー１０ｂ、１１ｂ同士は近接し、ローラーカバー１０ｂの上部に設けられたガイド板１０ｍ、１０ｍの隙間からペーパータオル５を取り出すことができる。
【００２７】
また、前記ローラーカバー１０ｂ、１１ｂの中央部には凹み部１０ｈ、１１ｆが設けられているため、ローラー１０ｄより少し飛び出した状態にあるペーパータオル５を摘むことができる。
【００２８】
使用しないペーパータオル５が、ローラー１０ｄより少しだけ飛び出した状態で止まっているため、ペーパータオル５が乾くことが無い。なお、符号６は、本願発明であるホットタオルディスペンサー１を利用する利用者の手を示している。
【００２９】
前カバー１０ａ上面に取り付けられた取っ手１０ｇは、係止部１０ｌ、１０ｌにより回動可能に取り付けられている。
【００３０】
図５及び図６は、本発明であるホットタオルディスペンサーの断面図である。図５及び図６に示すように、保温部３の本体３ａ内部は仕切板３ｇにより２つの部屋に分けられている。本体３ａの前側部分には各制御装置が設置されており、後側部分には籠４を内包した収納容器３ｎが設置されている。
【００３１】
収納容器３ｎの底面裏にはシリコンラバーヒーター３ｉが備えられ、収納容器３ｎに熱を伝えている。また前記シリコンラバーヒーター３ｉは調節ダイヤル３ｃにより温度調節可能な温度調節装置３ｊとコード３ｌにより繋がっているため、調節ダイヤル３ｃの設定により収納容器３ｎに伝える温度を調節することができる。
【００３２】
図５及び図６に示した符号３ｋはスイッチ制御装置である。前記スイッチ制御装置３ｋは、図１に示したスイッチ３ｂの制御部分であり、コード３ｍを介して前記温度調節装置３ｊに接続されている。即ち前記スイッチ３ｂのオン、オフは、前記スイッチ制御装置３ｋから前記温度調節装置３ｊに伝えられ、前記シリコンラバーヒーター３ｉのオン、オフを制御している。
【００３３】
前記本体３ａの仕切板３ｇより後側の部屋、即ち、収納容器３ｎを設置している部屋の内壁には保温材３ｈが備えられており、シリコンラバーヒーター３ｉにより温められた収納容器３ｎが保温される。尚、符号３ｆは本体３ａの底板を示している。
【００３４】
図６はホットタオルディスペンサー１にペーパータオル５を設置し、湯７を注いだ状態の断面図を示している。図６に示したように、籠４内にペーパータオル５を設置し、籠４ごと湯７を注いだ収納容器３ｎ内に設置する。この状態で待機することで、いつもペーパータオル５には湯７が染み込んでいるためペーパータオル５は一定の温度で保存される。
【００３５】
前記ペーパータオル５は、引き出される直前にローラー１０ｃ及びローラー１１ｄにより挟まれることで余計な水分を絞り出され、更にローラー１０ｃ及びローラー１１ｃによりもう一度挟まれることで絞りきれなかった水分を絞り出される。そのため、ペーパータオル５は、ホットタオルディスペンサー１より引き出された後は適度に湿った温かいペーパータオル５となっている。
【実施例２】
【００３６】
図７は本発明であるホットタオルディスペンサーの第２実施例を示した断面図である。図７に示すように本発明であるホットタオルディスペンサー１ａは、前記図１から図６に示したホットタオルディスペンサー１に排出部８を設けたものである。
【００３７】
図７に示すように前記排出部８は、ドレン９と排水コック１２とからなり、前記ドレン９は保温部３の収納容器３ｎの底面に取り付けられ、前記排水コック１２は前記保温部３の背面に取り付けられている。
【００３８】
前記ドレン９の管９ａは、前記排水コック１２に接続されており、収納容器３ｎの内の湯７はドレン９及び排水コック１２を通り排出口１２ａよりホットタオルディスペンサー１ａの外へ排出される。この湯７の排出は、排水コック１２の制御板１２ｃにより制御され、前記制御板１２ｃはレバー１２ｂにより開閉できる構造となっている。
【図面の簡単な説明】
【００３９】
【図１】本発明であるホットタオルディスペンサーの斜視図である。
【図２】本発明であるホットタオルディスペンサー取出部を開いた状態を示した斜視図である。
【図３】本発明であるホットタオルディスペンサーの籠の斜視図である。
【図４】本発明であるホットタオルディスペンサーを使用している様子を示した正面図である。
【図５】本発明であるホットタオルディスペンサーの断面図である。
【図６】本発明であるホットタオルディスペンサーの断面図である。
【図７】本発明であるホットタオルディスペンサーの第２実施例を示した断面図である。
【符号の説明】
【００４０】
１      ホットタオルディスペンサー
１ａ    ホットタオルディスペンサー
２      取出部
３      保温部
３ａ    本体
３ｂ    スイッチ
３ｃ    調節ダイヤル
３ｄ    確認ランプ
３ｅ    脚
３ｆ    底板
３ｇ    仕切板
３ｈ    保温材
３ｉ    シリコンラバーヒーター
３ｊ    温度調節装置
３ｋ    スイッチ制御装置
３ｌ    コード
３ｍ    コード
３ｎ    収納容器
３ｏ    前面
３ｐ    中空部
４      籠
４ａ    針金
４ｂ    上補強枠
４ｃ    係止部
４ｄ    下補強枠
４ｅ    取っ手
５      ペーパータオル
６      手
７      湯
８      排出部
９      ドレン
９ａ    管
１０      前取出部
１０ａ    前カバー
１０ｂ    ローラーカバー
１０ｃ    ローラー
１０ｄ    ローラー
１０ｅ    係止リング
１０ｆ    留め具
１０ｇ    取っ手
１０ｈ    凹み部
１０ｉ    固定具
１０ｊ    可動部
１０ｋ    固定部
１０ｌ    係止部
１０ｍ    ガイド板
１０ｎ    左突出部
１０ｏ    右突出部
１１      後取出部
１１ａ    後カバー
１１ｂ    ローラーカバー
１１ｃ    ローラー
１１ｄ    ローラー
１１ｅ    係止具
１１ｆ    凹み部
１１ｇ    固定具
１１ｈ    可動部
１１ｉ    固定部
１１ｊ    取っ手
１１ｋ    左突出部
１１ｌ    右突出部
１２      排水コック
１２ａ    排出口
１２ｂ    レバー
１２ｃ    制御板
【図１】
2005225502.tif 000003
【図２】
2005225502.tif 000004
【図３】
2005225502.tif 000005
【図４】
2005225502.tif 000006
【図５】
2005225502.tif 000007
【図６】
2005225502.tif 000008
【図７】
2005225502.tif 000009
【手続補正書】
【提出日】平成16年2月12日(2004.2.12)
【手続補正１】
【補正対象書類名】図面
【補正対象項目名】図５
【補正方法】変更
【補正の内容】
【図５】
2005225502.tif 000010
【手続補正２】
【補正対象書類名】図面
【補正対象項目名】図６
【補正方法】変更
【補正の内容】
【図６】
2005225502.tif 000011
【手続補正３】
【補正対象書類名】図面
【補正対象項目名】図７
【補正方法】変更
【補正の内容】
【図７】
2005225502.tif 000012